(57)【要約】【目的】バッテリパックの電池作動機器への着脱作業を簡単に行うことができるとともに、バッテリパック取り外し時に電池作動機器の外部バッテリ用接点が露出されたままにするのを防止でき、さらに、バッテリパック装着時における部品の紛失のおそれをなくすことができる、電池作動機器のバッテリパックシステムを提供する。【構成】外面のいずれか一面に外部バッテリ用接点を有する電池作動機器；及びこの電池作動機器の外部バッテリ用接点に導通するバッテリ接点と、位置決め突起とを有し、該位置決め突起により該電池作動機器に位置決めされて着脱されるバッテリパック；を有する電池作動機器のバッテリパックシステムにおいて、上記電池作動機器に、上記外部バッテリ用接点を覆う閉位置と露出させる開位置との間を移動可能なカバー部材と、上記位置決め突起により押圧移動されるスライド部材と、このスライド部材の移動に連動させて上記カバー部材を開閉移動させる連動機構とを支持したことを特徴とする電池作動機器のバッテリパックシステム。【選択図】      図３
2004207154.tif 000002
【特許請求の範囲】
【請求項１】
外部バッテリ用接点と、該外部バッテリ用接点を覆うカバー部材と、係合孔とを有する電池作動機器；
上記外部バッテリ用接点と接触することによって電力を電池作動機器に導通させるバッテリ接点と、上記電池作動機器に装着されるとき上記係合孔に挿入係合する位置決め突起とを有するバッテリパック；及び
該バッテリパックを電池作動機器に装着するとき、上記位置決め突起が上記係合孔に挿入する力を、上記カバー部材が開方向に移動して上記外部バッテリ用接点を露出させる力に変換する連動機構；
を有することを特徴とする電池作動機器のバッテリパックシステム。
【請求項２】
請求項１記載の電池作動機器のバッテリパックシステムにおいて、
上記位置決め突起を係合孔に挿入係合したとき、該位置決め突起により押圧移動されるスライド部材を備え、
上記連動機構が、このスライド部材の移動に連動して上記カバー部材を開閉移動させる電池作動機器のバッテリパックシステム。
【請求項３】
外面のいずれか一面に外部バッテリ用接点を有する電池作動機器；及び
この電池作動機器の外部バッテリ用接点に導通するバッテリ接点と、位置決め突起とを有し、該位置決め突起により該電池作動機器に位置決めされて着脱されるバッテリパック；
を有する電池作動機器のバッテリパックシステムにおいて、
上記電池作動機器に、上記外部バッテリ用接点を覆う閉位置と露出させる開位置との間を移動可能なカバー部材と、上記位置決め突起により押圧移動されるスライド部材と、このスライド部材の移動に連動させて上記カバー部材を開閉移動させる連動機構とを支持したことを特徴とする電池作動機器のバッテリパックシステム。
【請求項４】
請求項２または３記載の電池作動機器のバッテリパックシステムにおいて、
上記位置決め突起は位置決めピンであり、
上記連動機構は、この位置決めピンによりスライド部材が押圧されたときカバー部材を閉位置から開位置に移動させる、軸を中心に揺動可能な連動アームを備えていて、この連動アームは、付勢手段により常時上記カバー部材を閉位置に位置させるように付勢されている電池作動機器のバッテリパックシステム。
【請求項５】
請求項２または３記載の電池作動機器のバッテリパックシステムにおいて、
上記位置決め突起は鍵へらであり、
上記スライド部材は、該鍵へらが接触しないときに位置する非作動位置と、該鍵へらによって押圧されたときに位置する作動位置との間を移動自在であり、常時は付勢手段の付勢力によって上記非作動位置に位置し、上記鍵へらに押圧されると、上記付勢手段の付勢力に抗して上記作動位置に移動し、
上記連動機構は、上記スライド部材と上記カバー部材とに形成されたラックにそれぞれ噛合するギア機構であり、該ギア機構は、上記スライド部材が上記非作動位置から上記作動位置に移動したときに正方向に回転して、上記カバー部材を開位置に移動させ、上記スライド部材が上記作動位置から上記非作動位置に移動したときに逆方向に回転して、上記カバー部材を閉位置に移動させる電池作動機器のバッテリパックシステム。
【請求項６】
請求項１乃至５のいずれか１項記載の電池作動機器のバッテリパックシステムにおいて、電池作動機器側の外部バッテリ用接点と、バッテリパック側のバッテリ接点とは、ともに先端部を半球状とした互いに接近する方向に移動付勢された接点ピンからなっており、この対をなす接点ピンは、電池作動機器を正しくバッテリパックに装着した状態において、その軸線が平行にずれている電池作動機器のバッテリパックシステム。
【請求項７】
請求項１乃至６のいずれか１項記載の電池作動機器のバッテリパックシステムにおいて、上記電池作動機器がカメラである電池作動機器のバッテリパックシステム。
【発明の詳細な説明】
【０００１】
【技術分野】
本発明は、電池作動機器のバッテリパックシステムに関する。
【０００２】
【従来技術およびその問題点】
内部に外部バッテリ用接点を具備する電池作動機器のバッテリパック取付面に、外部バッテリ用接点を露出させるための接点用孔と、位置決め孔とを設け、この外部バッテリ用接点と導通可能なバッテリ接点と、位置決め孔に嵌合可能な位置決め突起とを具備するバッテリパックを、この位置決め突起と位置決め孔とを利用して電池作動機器に対して位置決めしながら着脱する、バッテリパックシステムは従来より知られている。
【０００３】
そして、従来のバッテリパックシステムでは、バッテリパックを電池作動機器に位置決めしながら装着すると、バッテリ接点が接点用孔を通して外部バッテリ用接点に接触し、かつ、バッテリパックを電池作動機器から取り外した際には、電池作動機器のバッテリパック取付面にカバー部材を被せて、接点用孔を覆うようにしている。
【０００４】
しかし、このように電池作動機器とバッテリパックとは別部材であるカバー部材を必要とすると、バッテリパックの電池作動機器への着脱作業が煩雑になってしまう。さらに、バッテリパックを電池作動機器から取り外している時にカバー部材を取り付けるのを忘れてしまうと、電池作動機器内部の電気回路に静電気の悪影響が及んだり、外部バッテリ用接点が汚れたり傷ついてしまうおそれがある。また、バッテリパックを電池作動機器に装着している時には、カバー部材を紛失してしまうおそれがある。
【０００５】
【発明の目的】
本発明は、バッテリパックの電池作動機器への着脱作業を簡単に行うことができるとともに、バッテリパック取り外し時に外部バッテリ用接点が露出されたままにするのを防止でき、さらに、バッテリパック装着時における部品の紛失のおそれをなくすことができる、電池作動機器のバッテリパックシステムを提供することを目的とする。
【０００６】
【発明の概要】
本発明の電池作動機器のバッテリパックシステムは、外部バッテリ用接点と、該外部バッテリ用接点を覆うカバー部材と、係合孔とを有する電池作動機器；上記外部バッテリ用接点と接触することによって電力を電池作動機器に導通させるバッテリ接点と、上記電池作動機器に装着されるとき上記係合孔に挿入係合する位置決め突起とを有するバッテリパック；及び該バッテリパックを電池作動機器に装着するとき、上記位置決め突起が上記係合孔に挿入する力を、上記カバー部材が開方向に移動して上記外部バッテリ用接点を露出させる力に変換する連動機構；を有することを特徴としている。
【０００７】
さらに、上記位置決め突起を係合孔に挿入係合したとき、該位置決め突起により押圧移動されるスライド部材を備え、上記連動機構を、このスライド部材の移動に連動して上記カバー部材を開閉移動させるようにするのが好ましい。
【０００８】
別の態様によれば、本発明の電池作動機器のバッテリパックシステムは、外面のいずれか一面に外部バッテリ用接点を有する電池作動機器；及びこの電池作動機器の外部バッテリ用接点に導通するバッテリ接点と、位置決め突起とを有し、該位置決め突起により該電池作動機器に位置決めされて着脱されるバッテリパック；を有する電池作動機器のバッテリパックシステムにおいて、上記電池作動機器に、上記外部バッテリ用接点を覆う閉位置と露出させる開位置との間を移動可能なカバー部材と、上記位置決め突起により押圧移動されるスライド部材と、このスライド部材の移動に連動させて上記カバー部材を開閉移動させる連動機構とを支持したことを特徴としている。
【０００９】
いずれの態様でも、上記位置決め突起を位置決めピンとし、上記連動機構を、この位置決めピンによりスライド部材が押圧されたときカバー部材を閉位置から開位置に移動させる、軸を中心に揺動可能な連動アームを備えるものとし、この連動アームが、付勢手段により常時上記カバー部材を閉位置に位置させるように付勢されているのが好ましい。
【００１０】
また、上記位置決め突起を鍵へらとし、上記スライド部材を、該鍵へらが接触しないときに位置する非作動位置と、該鍵へらによって押圧されたときに位置する作動位置との間を移動自在とし、常時は付勢手段の付勢力によって上記非作動位置に位置し、上記鍵へらに押圧されると、上記付勢手段の付勢力に抗して上記作動位置に移動するようにし、上記連動機構を、正逆両方向に回転自在で、上記スライド部材と上記カバー部材とに形成されたラックにそれぞれ噛合するギア機構とし、該ギア機構を、上記スライド部材が上記非作動位置から上記作動位置に移動したときに正方向に回転して、上記カバー部材を開位置に移動させ、上記スライド部材が上記作動位置から上記非作動位置に移動したときに逆方向に回転して、上記カバー部材を閉位置に移動させるようにしてもよい。
【００１１】
電池作動機器側の外部バッテリ用接点と、バッテリパック側のバッテリ接点とを、ともに先端部を半球状とした互いに接近する方向に移動付勢された接点ピンからなるものとし、この対をなす接点ピンを、電池作動機器を正しくバッテリパックに装着した状態において、その軸線を平行にずらすと、接点ピンの自動クリーニング作用を得ることができる。
【００１２】
上記電池作動機器をカメラとして、本発明を適用することができる。
【００１３】
【発明の実施の形態】
以下、本発明の第１の実施形態について、図１乃至図５を参照しながら説明する。なお、説明中の前後左右方向は図１を基準としている。
本実施形態のバッテリパックシステムは、カメラ（電池作動機器）Ｃと、カメラＣの底板１に着脱されるバッテリパック４０とからなるものである。
【００１４】
図１乃至図３に示すように、カメラＣの底板１には、円形をなす三脚用ネジ孔３と、円形をなす位置決め用孔（係合孔）５と、ほぼ方形をなす接点用孔７とが穿設されている。
底板１の上面には、位置決め用孔５の左右に位置させて、前後方向を向くガイドレール９、１１が形成されており、位置決め用孔５の前方には、ガイドレール９、１１の前端部同士を連結する、左右方向を向くストッパ１３が形成されている。両ガイドレール９、１１には、ほぼ方形のスライド部材１５の両側部が、前後方向に摺動自在かつ、上下方向に移動不能に支持されている。スライド部材１５の前縁中央部には方形の切欠部１５ｂが形成され、さらに、図４に示すように、切り欠き部１５ｂの後端下部は傾斜面１５ａになっている。
【００１５】
スライド部材１５は、図３の実線で示す非作動位置と仮想線で示す作動位置との間を移動でき、その前側の移動端である非作動位置はストッパ１３により規定されている。図３に示すように、平面視で見ると、スライド部材１５が非作動位置にあるときは、位置決め用孔５の後半分がスライド部材１５により覆われ、作動位置に移動すると、位置決め用孔５全体が露出するようになる。
【００１６】
また、底板１の上面には、接点用孔７の前後に位置する一対の左右方向を向くストッパ１７、１９と、接点用孔７の左右に位置する前後方向を向くガイドレール２１、２３が形成されている。左右のガイドレール２１、２３には、略方形の開閉蓋（カバー部材）２５の両側部が、前後方向に摺動自在、かつ上下方向に移動不能に支持されており、開閉蓋２５の後端部には傾斜面２５ｂが形成されている。図３に示すように、開閉蓋２５は、接点用孔７を完全に覆う閉位置（実線の位置）と、接点用孔７を完全に開放する開位置（仮想線の位置）との間を移動することができ、閉位置は後側のストッパ１９により規定され、開位置は前側のストッパ１７により規定されている。
【００１７】
さらに、底板１の上面には、接点用孔７の近傍から図示を省略した支持部材が延出しており、この支持部材の先端には、接点用孔７の直上に位置する接点ブロック２７が、底板１の上面から、開閉蓋２５の厚さより若干長い距離だけ離れた状態で支持されている。図５に示すように、接点ブロック２７は、下面が開口するケース２９と、ケース２９内に、ケース２９との間に若干の水平方向のクリアランスをもって配設された接点ピン（外部バッテリ用接点）３１を有している。この接点ピン３１は、上下動自在であるとともに、その下端部が半球状をなしており、圧縮バネ３３により下方に向けて付勢されている。この接点ピン３１は、開閉蓋２５が閉位置にあるときは、該開閉蓋２５の上面に当接している（図５参照）。
【００１８】
また、底板１の上面には、スライド部材１５の若干左側に位置するようにして、上下方向を向く支持ピン３５が突設されており、この支持ピン３５には、連動アーム（連動機構）３７が支持ピン３５回りに揺動自在に支持されている。この連動アーム３７の右端部には、スライド部材１５の後端面に接触する係合部３７ａが形成されており、左端部には、開閉蓋２５に形成された係合ピン２５ａと係合する係合溝３７ｂが形成されている。
さらに、底板１の上面には、支持ピン３５の若干左側に位置するようにして、上下方向を向く係止突起３９が形成されており、この係止突起３９と連動アーム３７とには、引張バネ（付勢手段）４１の両端部が掛止されていて、連動アーム３７を、図３の時計方向に常時回動付勢している。
【００１９】
このように連動アーム３７が回動付勢されているため、常時は、スライド部材１５は非作動位置に位置し、開閉蓋２５は閉位置に位置している。そして、スライド部材１５が作動位置に移動すると、スライド部材１５の動きが連動アーム３７を介して開閉蓋２５に伝わり、引張バネ３９の付勢力に抗して開閉蓋２５が開位置に移動するようになる。
【００２０】
バッテリパック４０の上面には、円盤状の調整部材４３の回転に連動して回転する結合用ネジ（位置決め突起）４５と、位置決め用孔５と嵌合可能な位置決めピン（位置決め突起）４７と、接点ピン（バッテリ接点）４９とが突設されている。
この位置決めピン４７の上端部は、切頭円錐形状をなしており、その外周全体がテーパ面４７ａとなっている。
一方、接点ピン４９の上端部は半球状をなしており、その下半部は、バッテリパック４０に形成された収納凹部４０ａに上下動自在に支持されており、収納凹部４０ａ内には、接点ピン４９を上方に向けて付勢する圧縮バネ５１が縮設されている。なお、この接点ピン４９と収納凹部４０ａの間には、若干の水平方向のクリアランスが形成されている。
【００２１】
次に、以上のような構成からなるカメラＣの底板１とバッテリパック４０の着脱要領について説明する。
【００２２】
カメラＣの底板１にバッテリパック４０を装着するには、まず、結合用ネジ４５を三脚用ネジ孔３に若干螺合するとともに、位置決めピン４７を位置決め用孔５に若干挿入する（図４の実線参照）。次いで、調整部材４３を回転させて、結合用ネジ４５の三脚用ネジ孔３に対する螺合量と、位置決めピン４７の位置決め用孔５に対する挿入量を徐々に増加させると、図４の仮想線に示すように、位置決めピン４７のテーパ面４７ａがスライド部材１５の傾斜面１５ａを押圧し、スライド部材１５が後方に移動付勢されるので、図２に示すようにスライド部材１５は作動位置側に向かって移動する。スライド部材１５が作動位置側に移動すると、連動アーム３７が支持ピン３５を支点として図３の反時計方向に回動し、開閉蓋２５は開位置側に向かって直進移動する。
【００２３】
結合用ネジ４５が三脚用ネジ孔３に完全に螺合すると、位置決めピン４７が位置決め用孔５に完全に嵌合し（図４の仮想線参照）、バッテリパック４０が底板１の下面に接触する（図４の仮想線、図５参照）。この時、スライド部材１５は作動位置に位置するようになり（図２、図４の仮想線参照）、開閉蓋２５は開位置に位置するようになる。さらに、底板１とバッテリパック４０の接点ピン３１、４９同士が互いに近づく方向に移動して両者の端部同士が接触し、カメラＣとバッテリパック４０が導通する（図２、図５の仮想線参照）。
【００２４】
逆に、カメラＣの底板１からバッテリパック４０を分離するには、まず、調整部材４３を反対方向に回転して、結合用ネジ４５と三脚用ネジ孔３の螺合を完全に解除するとともに、位置決めピン４７を位置決め用孔５から完全に脱出させる。すると、位置決めピン４７がスライド部材１５の下方に移動するとともに、接点ピン４９が底板１の下方に移動する。引張バネ４１の付勢力によって連動アーム３７が支持ピン３５を支点として図３の時計方向に回転するので、スライド部材１５は非作動位置に復帰し、開閉蓋２５は、その傾斜面２５ｂで接点ピン３１を上方に押し戻しながら閉位置に復帰する。
【００２５】
このように本実施形態によれば、位置決めピン４７と結合用ネジ４５を位置決め用孔５と三脚用ネジ孔３とに挿入して、バッテリパック４０の上面を底板１の下面に接触させるだけで、常時は閉じている開閉蓋２５が自動的に開放され、接点ピン３１、４９同士が接触するようになり、しかも、バッテリパック４０をカメラＣから離間させるだけで、開閉蓋２５が自動的に閉じるので、バッテリパック４０のカメラＣへの着脱作業を簡単に行うことができる。さらに、バッテリパック４０をカメラＣから取り外すと、開閉蓋２５が自動的に閉まるので、開閉蓋２５を閉め忘れることがなく、この結果、カメラＣ内部の電気回路へ静電気の悪影響が及んだり、接点ピン３１が汚れたり傷つくおそれを無くすことができる。さらに、カメラＣとバッテリパック４０以外の部品が不要なので、このような部品の紛失のおそれがなく、しかも低コスト化を図ることができる。
【００２６】
さらに、カメラＣの底板１にバッテリパック４０を装着しようとして、バッテリパック４０を底板１に接近させるときには、開閉蓋２５は閉位置に位置しているので、開閉蓋２５の上下両面に接触ピン３１、４９が接触しているが（図５の実線参照）、開閉蓋２５が開位置に向かって移動するときには、接触ピン３１、４９の端面が開閉蓋２５の上下両面によって擦られ、接触ピン３１、４９の端面のクリーニングが行われるので、接触ピン３１、４９の端面をきれいな状態に保つことができる。
なお、底板１からバッテリパック４０を取り外す際には、開閉蓋２５の上面が接触ピン３１の端面に擦りながら閉位置に移動するので、この場合も接触ピン３１のクリーニングが行われる。
さらに、図５に示すように、上下の接触ピン３１、４９の軸線が互いに偏心しているので、上下の接触ピン３１、４９同士が接触する際に、両者３１、４９の軸線が若干傾きながら両者３１、４９の端部同士が擦れ合い、両方の接触ピン３１、４９の端部同士がクリーニングされる。
【００２７】
次に、本発明の第２の実施形態について図６乃至図９を参照しながら説明する。
本実施形態のバッテリパックシステムも、カメラ（電池作動機器）Ｃと、カメラＣの底板１に着脱されるバッテリパック４０とからなるものであるが、第１の実施形態とは、バッテリパック４０と底板１の位置決め機構と、スライド部材５７と開閉蓋７３、及びスライド部材５７と開閉蓋７３の連動機構等が、異なっている。
本実施形態の説明では、第１の実施形態と同じ部材には同じ符号を付すに止めて、その詳細な説明は省略することにし、異なる構成とカメラＣの底板１とバッテリパック４０の着脱要領とについて説明する。
【００２８】
本実施形態の位置決め用孔（係合孔）５１は左右方向を向く方形のものであり、前後一対として底板１に形成されている。底板１の上面には、後側の位置決め用孔５１の直後に位置するようにして、左右方向を向くストッパ５３が形成されており、このストッパ５３の左端部からは、前方に向かった後に右方に向かう突起５５が延出している。
【００２９】
スライド部材５７は左右方向を向く細長の部材であり、その左側前面にはラック５７ａが形成され、さらにその右端部には前方に向かって突出する係合部５７ｂが形成されている。スライド部材５７は、底板１の周縁部に沿って立設された周壁１ａの後部とストッパ５３の間に摺動自在、かつ上下方向に移動不能に支持されており、係合部５７ｂがストッパ５３の端部に当接する非作動位置と、係合部５７ｂがストッパ５３から右方に所定距離だけ離間する作動位置との間を移動することができる。スライド部材５７の左方には係止突起５９が突設されており、この係止突起５９とスライド部材５７の左端部との間には、引張バネ６１の両端部が掛止されており、この結果、スライド部材５７は常時、非作動位置に向けて付勢されている。
【００３０】
本実施形態の接点用孔６３は第１の実施形態のものより前方に形成されており、底板１の上面には、接点用孔６３の左方に位置する前後方向を向くガイドレール６５と、接点用孔６３の右方に位置する前後方向を向くガイド溝６７と、ガイドレール６５の前後両端から右方に延びる前後一対の左右方向を向くストッパ６９、７１とが形成されている。ガイドレール６５には開閉蓋７３の左側部が、前後方向に摺動自在かつ上下動不能に支持されており、開閉蓋７３の下面の右側部に形成された突起（図示略）がガイド溝６７に移動自在に嵌合している。開閉蓋７３の右側面にはラック７３ａが形成されている。さらに、接点用孔６３の直上には、底板１の上面から延出する支持部材（図示略）を介して接点ブロック２７が設けられており、底板１の上面と接点ブロック２７の下面とは、開閉蓋７３の厚さより若干長い距離だけ離れている。
【００３１】
さらに底板１には、接点用孔６３の左方に位置する方形の係止孔７５が穿設されている。
【００３２】
本実施形態の連動機構は、底板１の上面に、上下方向の軸回りに回転自在として支持された５つのギア７７、７９、８１、８３、８５からなっている。隣り合うギア同士は噛合しており、最も右側のギア７７はスライド部材５７のラック５７ａに、最も左側のギアは開閉蓋７３のラック７３ａに、それぞれ噛合している。
【００３３】
一方、バッテリパック４０には、位置決めピン４７の代わりに、位置決め用孔５１に係合可能な一対の鍵へら（位置決め突起）８７が突設されている。鍵へら８７はバッテリパック４０に対して左右方向に相対移動自在であり、図示を省略した付勢手段により常時右方に付勢されており、左方向に押圧された場合や、バッテリパック４０に設けられた図示しない操作スイッチを操作した場合に、付勢手段の付勢力に抗して左方向に移動する。さらに、結合用ネジ４５の代わりに、係止孔７５に係合可能な上向係止片８９が突設されている。また、接点ピン４９は、第１の実施形態に比べて前方寄りの位置に突設されており、第１の実施形態と同様に、バッテリパック４０を底板１に装着した際には、その軸線が接点ブロック２７の接点ピン３１の軸線に対して偏心する。
【００３４】
次に、以上のような構成からなるカメラＣの底板１とバッテリパック４０の着脱要領について説明する。
【００３５】
カメラＣの底板１にバッテリパック４０を装着するには、まず、係止孔７５に上向係止片８９を係合するとともに、両鍵へら８７を上方に移動させて、両鍵へら８７の係合片８７ａを前後の位置決め用孔５１、５１の下端部にそれぞれ当接させる。さらに、両鍵へら８７を上方に移動させると、位置決め用孔５１の下端部によって鍵へら８７は左方向に押されて移動し、両鍵へら８７の係合部８７ａが位置決め用孔５１を通り抜け、後方の鍵へら８７の係合部８７ａがスライド部材５７の係合部５７ｂを右方に押圧する。鍵へら８７の付勢手段の付勢力は、ばね６１の付勢力より大きいので、鍵へら８７によりスライド部材５７は作動位置に移動させられ、かつ、係合片８７ａが位置決め用孔５１の周縁部に係合し、バッテリパック４０が底板１に装着される。
このようにスライド部材５７が作動位置に移動すると、スライド部材５７の移動に連動してラック５７ａと噛合しているギア７７が回転し、残りのギア７９、８１、８３、８５も回転する。そして、最も左側に位置するギア８５と噛合している開閉蓋７３が開位置に移動し、接点用孔６３が全開して、第１の実施形態と同様に両接点ピン３１、４９の端部同士が接触するようになる。
【００３６】
なお、バッテリパック４０に設けられた図示しない操作スイッチを操作して、鍵へら８７を左側に移動させた後、鍵へら８７を位置決め用孔５１から抜き出し、さらに、係止孔７５から上向係止片８９を抜き出せば、バッテリパック４０を底板１から取り外すことができる。
【００３７】
このような本実施形態によっても、第１の実施形態と同様の効果を奏することができる。
また、上記両実施形態はいずれも、カメラＣにバッテリパック４０を着脱する態様のものであるが、本発明は、カメラＣ以外の電池作動機器にバッテリパックを着脱する場合にも適用可能である。
【００３８】
【発明の効果】
本発明によれば、バッテリパックの電池作動機器への着脱作業を簡単に行うことができるとともに、バッテリパック取り外し時に電池作動機器の外部バッテリ用接点が露出されたままにするのを防止でき、さらに、バッテリパック装着時における部品の紛失のおそれをなくすことができる。
【図面の簡単な説明】
【図１】本発明の第１の実施形態のカメラの底板とバッテリパックを、斜め前方から見た分解斜視図である。
【図２】同じく、カメラの底板にバッテリパックが装着された状態を示す斜視図である。
【図３】同じく、カメラの底板の平面図である。
【図４】同じく、図３のIV−IV線に沿う拡大縦断側面図である。
【図５】同じく、図３のV−V線に沿う拡大縦断側面図である。
【図６】本発明の第２の実施形態のカメラの底板とバッテリパックを、斜め前方から見た分解斜視図である。
【図７】同じく、カメラの底板にバッテリパックが装着された状態を示す斜視図である。
【図８】同じく、カメラの底板の平面図である。
【図９】同じく、図８のIX−IX線に沿う拡大縦断側面図である。
【符号の説明】
１      カメラの底板
１ａ    周壁
３      三脚用ネジ孔
５      位置決め用孔（係合孔）
７      接点用孔
９  １１  ガイドレール
１３    ストッパ
１５    スライド部材
１５ａ  傾斜面
１５ｂ  切欠部
１７  １９  ストッパ
２１  ２３  ガイドレール
２５    開閉蓋（カバー部材）
２５ａ  係合ピン
２５ｂ  傾斜面
２７    接点ブロック
２９    ケース
３１    接点ピン
３３    圧縮バネ
３５    支持ピン
３７    連動アーム（連動機構）
３７ａ  係合部
３７ｂ  係合溝
３９    係止突起
４０    バッテリパック
４０ａ  収納凹部
４１    引張バネ（付勢手段）
４３    調整部材
４５    結合用ネジ（位置決め突起）
４７    位置決めピン（位置決め突起）
４７ａ  テーパ面
４９    接点ピン（バッテリ接点）
５１    位置決め用孔（係合孔）
５３    ストッパ
５５    突起
５７    スライド部材
５７ａ  ラック
５７ｂ  係合部
５９    係止突起
６１    引張バネ（付勢手段）
６３    接点用孔
６５  ６７  ガイドレール
６９  ７１  ストッパ
７３    開閉蓋
７３ａ  ラック
７５    係止孔
７７  ７９  ８１  ８３  ８５  ギア（連動機構）
８７    鍵へら（位置決め突起）
８７ａ  係合片
８９    上向係止片
Ｃ      カメラ（電池作動機器）
【図１】
2004207154.tif 000003
【図２】
2004207154.tif 000004
【図３】
2004207154.tif 000005
【図４】
2004207154.tif 000006
【図５】
2004207154.tif 000007
【図６】
2004207154.tif 000008
【図７】
2004207154.tif 000009
【図８】
2004207154.tif 000010
【図９】
2004207154.tif 000011